(57)【要約】【課題】子機に対して複数個の親機が設けられるインターホン装置において、１個の親機に対応して設けられたセンサから検知信号が入力された場合には、信号線を増やすことなく他の親機からも警報音を発生できるインターホン装置を提供すること。【解決手段】センサ３０が検知信号を送出すると、このセンサ３０が設けられている親機１０は、制御部１７が音声変換装置１４を制御してスピーカ１３から警報音を発生させる。また、制御部１７は給電制御・監視部１９のスイッチ１０６を制御する。例えば所定の間隔でオンオフする。したがって、スイッチ１０６のオン期間にはトランジスタ１０１はオンし、信号線８に電源部２０の電圧（Vcc）を抵抗１０２、１０５の抵抗比に応じて分圧した電圧が信号線８に給電される（図３の（ｄ））。他の親機１０は、前記（ｄ）の電圧値が検出されると、制御部１７は音声変換装置１４を制御してスピーカ１３から警報音を発生する。【選択図】図２
2009159555.tif 000002
【特許請求の範囲】
【請求項１】
子機と；
信号線を介して子機に給電するとともに信号線に音声信号を重畳して子機と通話可能な複数個の親機と；
少なくとも１個の親機に対応して設けられ、信号を対応する親機に送出する信号入力手段と；を具備し、
前記信号入力手段に対応した前記少なくとも１個の親機は信号線の電圧値を待受け時、子機からの呼出し時、親機の操作時等に応じて異ならせるものであり、かつ、信号入力手段からの信号入力に応じて予め設定された状態に変化させることにより他の親機との間で信号情報を通信するようにしたことを特徴とするインターホン装置。
【請求項２】
撮像手段を有し映像伝送が可能な子機と；
信号線を介して子機に給電するとともに信号線に音声信号および映像信号を重畳して、子機からの映像信号の表示および子機と通話が可能な複数個の親機と；
少なくとも１個の親機に対応して設けられ、信号を対応する親機に送出する信号入力手段と；を具備し、
前記信号入力手段に対応した前記少なくとも１個の親機は、信号線に電力を供給する電源部および信号線への給電電圧を監視するとともに、待受け時、子機呼出し時、親機操作時等において電源部から信号線に給電する電圧値を互いに異ならせる給電制御・監視部を有し、かつ、信号入力手段からの信号入力時には電源部からの給電電圧値を予め設定された状態に変化させることにより他の親機との間で信号情報を通信するようにしたことを特徴とするインターホン装置。
【発明の詳細な説明】
【技術分野】
【０００１】
本発明は、ドアホン等戸外の子機と住戸内に設けられた複数個の親機との間で通話を可能にしたインターホン装置に関する。
【背景技術】
【０００２】
従来、この種装置として特許文献１のものが提案されている。特許文献１のものは、子機からの呼出信号に対する親機、複数の副親機（親機の一部）の応答に優先順位をもたせることによって、電源容量が少ない場合にも駆動できる省電力化の可能なテレビインターホンを提供することを目的としている。
【０００３】
この特許文献１のものは、子機の呼出釦が操作されると、親機および複数台の副親機から呼出音が出力されるとともに、親機のモニタテレビが通電されて映し出される。
【０００４】
そして、呼出音に応じて、親機のハンドセットを取上げて応答すると、親機のモニタテレビが継続して通電されて通話が行なわれる。また、親機以外のいずれかの副親機のハンドセットを取上げて応答すると、応答した副親機のモニタテレビが通電されて映像が映し出され、通話が行われるとともに、親機のモニタテレビの通電が遮断される。また、子機からの呼出音に対して親機あるいは複数の副親機が同時にハンドセットを取り上げて応答した場合は、親機が最優先となり、次いで副親機Ａ、副親機Ｂの順位でモニタテレビの通電が行われて通話がなされる。
【０００５】
これら他の親機または副親機の作動制御は、映像信号および通話信号が伝送される信号線に印加する電圧値を応答する親機または副親機に応じて変化させ、非応答の親機または副親機がその電圧値に感応することにより行われるようになっている。
【０００６】
また、副親機Ａおよび副親機Ｂの切換は、副親機内部に設けられたディップスイッチの切換設定により行われる。
【特許文献１】特公平６−６６８３８号公報
【発明の開示】
【発明が解決しようとする課題】
【０００７】
特許文献１のインターホンシステムは、子機および親機（副親機）間の信号線の制御電圧値の変化を利用して、ハンドセットを取上げた親機（または副親機）のみモニタテレビを駆動するようにしたから、子機からの呼出しに応答しない（ハンドセットを取上げない）他の親機（または親機）での電力消費をなくすことができるものである。
【０００８】
また、副親機間での優先順位を変更可能に設定できるようにしたから、必要に応じて優先順位を変更可能なものである。
【０００９】
ところで、住戸内に例えば火災センサ、防犯センサ等を設け、これらのセンサが対象物を感知したときにインターホン装置の親機に検知信号を送出し、親機や子機から警報音等を発生させるものがある。
【００１０】
しかしながら、複数個の親機（または副親機）を有する従来のシステムにおいては、センサから検知信号を入力された親機のみが警報音を発生するだけで、他の親機（または副親機）は警報音を発生できなかった。他の親機（または副親機）からも警報音を発生させるためには、センサと全親機との間に配線が必要であった。
【００１１】
本発明は、子機に対して複数個の親機（含む副親機）が設けられるインターホン装置において、１個の親機に対応して設けられたセンサから検知信号が入力された場合には、信号線を増やすことなく他の親機からも警報音を発生できるインターホン装置を提供することを目的とする。
【課題を解決するための手段】
【００１２】
請求項１に記載のインターホン装置は、子機と；信号線を介して子機に給電するとともに信号線に音声信号を重畳して子機と通話可能な複数個の親機と；少なくとも１個の親機に対応して設けられ、信号を対応する親機に送出する信号入力手段と；を具備し、前記信号入力手段に対応した前記少なくとも１個の親機は信号線の電圧値を待受け時、子機からの呼出し時、親機の操作時等に応じて異ならせるものであり、かつ、信号入力手段からの信号入力に応じて予め設定された状態に変化させることにより他の親機との間で信号情報を通信するようにしたことを特徴とする。
【００１３】
本発明および以下の各発明において、特に言及しない限り、各構成の定義または許容範囲は以下のとおりである。
【００１４】
子機は例えばドアホンのように玄関に取付けられるものであるが、その他のものであってもよい。
【００１５】
親機は例えば住戸内に設けられるものであるが、その他のものでもよい。また、親機は全く同じ機能のものが複数個設けられる場合でも、例えば優先順位が付けられていたり、機能に差があったりするいわゆる副親機を含んでいる場合であってもよい。そして、これら複数個の親機は、住戸にあっては例えば１階、二階とかの階毎、また、台所と居間とかに設けられる。
信号入力手段としては、火災センサ、防犯センサ等のようなセンサ、火災報知器のように操作により接点が開または閉されるもの、伝送信号により制御されるもの等どのようなものであってもよい。
【００１６】
信号線に供給する電圧値を変化させるには、電源電圧を分圧するのが最も簡便であるが、電源電圧自体を変化させるようにしてもよい。分圧する手段としては、スイッチング素子や抵抗を組合せて構成することができ、電源電圧を変化する手段としては、ドロッパーやスイッチング電源装置の出力電圧値を変化させるようにすればよい。しかし、本発明は上記方法や手段に限定されるものではない。
【００１７】
他の親機において信号線に印加された電圧値を判別する手段としては、複数個の比較器を用いたり、ＩＣやマイコンに予め複数レベルの電圧値を記憶しておきこの記憶した内容と実際の電圧値との比較により行ったりすることができる。
【００１８】
本発明は、信号入力手段が対応する親機に信号を入力すると、この親機は、信号線への供給電圧値を予め設定された固有のものに変化する。他の親機では、この固有の電圧値を検出し、信号入力手段からの信号入力があったことを認識する。例えば住戸であって、信号入力手段が火災センサの場合、例えば１階の火災センサが火災を検知した場合、１階の親機だけではなく、他の親機が設けられた階の親機にもセンサ情報を送信できる。
【００１９】
各親機において送信それた信号情報に基づいてどのように表示するかは任意であるが、一般的には警報音を発生したり、モニタに表示したりすることが考えられる。
【００２０】
請求項２に記載のインターホン装置は、撮像手段を有し映像伝送が可能な子機と；信号線を介して子機に給電するとともに信号線に音声信号および映像信号を重畳して、子機からの映像信号の表示および子機と通話が可能な複数個の親機と；少なくとも１個の親機に対応して設けられ、信号を対応する親機に送出する信号入力手段と；を具備し、前記信号入力手段に対応した前記少なくとも１個の親機は、信号線に電力を供給する電源部および信号線への給電電圧を監視するとともに、待受け時、子機呼出し時、親機操作時等において電源部から信号線に給電する電圧値を互いに異ならせる給電制御・監視部を有し、かつ、信号入力手段からの信号入力時には電源部からの給電電圧値を予め設定された状態に変化させることにより他の親機との間で信号情報を通信するようにしたことを特徴とする。
【００２１】
本発明は、子機から親機に映像信号を伝送できる他は請求項１記載の発明と略同様に作用する。
【発明の効果】
【００２２】
請求項１の発明は、信号入力手段からの信号に応じて、信号線を増やすことなく信号入力手段からの信号内容を他の親機との間で通信できるので、安価なインターホン装置を提供できる。
【００２３】
請求項２の発明は、請求項１記載の発明の効果に加えて、子機の映像信号を親機に伝送可能なインターホン装置を提供できる。
【００２４】
以下、本発明の一実施形態を図１ないし図３を参照して説明する。
【００２５】
図１は本発明の一実施形態の構成を示すブロック図、図２は同じく要部の構成を示す回路図、図３は同じく作用を説明するための信号線に印加される電圧信号の一例を示す図である。
【００２６】
子機１は、カメラ２およびカメラ２の映像信号を変調する映像変調装置３を有している。また、子機１は、マイク４およびスピーカ５を備える音声変換装置６を有し、これら音声変換装置６および映像変調装置３の信号を通信インターフェイス７を介して２線の信号線８に送出するようになっている。さらに、子機１は呼出し釦９を有しており、この呼出し釦９の操作により、待受け時と呼出し時とで信号線８の電圧値を変化させるようになっている。
【００２７】
信号線８には複数個の親機１０、１０、…が、子機１からみて並列的関係に接続されている（図１では簡略化のため１個のみ詳細を示す。）。
【００２８】
親機１０において、１１は通信インターフェイスであり、この通信インターフェイス１１を介してマイク１２およびスピーカ１３を備えた音声変換装置１４が接続され、子機１との通話を可能にしている。また、表示部１５および映像復調装置１６を有し、子機１からの映像を表示可能にしている。
【００２９】
また、親機１０の制御部１７は、後述する呼出し検知部１８、給電制御・監視部１９、センサからの信号に応じて、前記音声変換装置１４や映像復調装置１６の作動を制御するとともに、信号線８に印加する電圧値を変化させるものである。２０は電源部であり、比較的小電圧値の直流電圧を出力する。
【００３０】
３０は親機１０に対応して設けられたセンサである。
【００３１】
前記呼出し検知部１８は、子機１の呼出し釦９が操作されたときの信号線８の電圧値の変化を検知し、これに応じて前記制御部１７に呼出し音発生指令を行うものである。この呼出し音発生指令に応じて制御部１７は音声変換装置１４を制御して、例えばＩＣ等に記憶されている「ピーンポーン」等の呼出し音を発生させる。
【００３２】
前記給電制御・監視部１９は、図２に詳細を示すように、電源部２０からの出力電圧（Vcc）の信号線８への出力電圧値を制御するトランジスタ１０１を中心に形成されている。このトランジスタ１０１のコレクタには電源部２０からの出力電圧（Vcc）が供給され、ベースは抵抗１０２を介して基準極（アース）に接続されている。そして、エミッタおよび基準極（アース）間の電圧が通信インターフェイス１１を介して信号線８に印加される。
【００３３】
前記トランジスタ１０１のコレクタ・ベース間には、スイッチング素子（トランジスタ）１０３および抵抗１０４の第１の直列回路が接続され、また、この第１の直列回路に対して並列に抵抗１０５およびスイッチ１０６の第２の直列回路が接続されている。
【００３４】
また、トランジスタ１０１のエミッタと基準極（アース）との間には、抵抗１０７および１０８の直列回路が接続され、これらの中間電位が給電監視信号として検出するようになっている。そして、この監視信号は制御部１７に入力される。
【００３５】
なお、トランジスタ１０１のエミッタには、待受け時の電圧を供給するための電圧（V3）が印加されている。
【００３６】
次に、本実施形態の作用を説明する。
【００３７】
子機１の呼出し釦９が操作されず、センサ３０が検知信号を送出していない状態においては、給電制御・監視部１９のスイッチング素子（トランジスタ）１０３およびスイッチ１０６がともにオフしており、したがってトランジスタ１０１がオフであり、信号線８には待受け時の電圧（V3）が印加されている。
【００３８】
子機１の呼出し釦９が操作されると、信号線８の電圧値が例えば図３の（ａ）のように変化する（電圧変化の形態は任意に設計可能。）。すると、前記呼出し検知部１８は、この変化を検知し、前記制御部１７に対して呼出し音発生指令を行う。この呼出し音発生指令に応じて制御部１７は音声変換装置１４を制御して、「ピーンポーン」等の呼出し音を発生させる。
【００３９】
親機１０側において、前記呼出し音に応じて例えばハンドセット（図示しない。）を取上げる等の応答操作を行うと、制御部１７は給電制御・監視部１９のスイッチング素子１０３をオンする。これによって、トランジスタ１０１はオンし、電源部２０の電圧（Vcc）を抵抗１０２と抵抗１０４との抵抗比に応じて分圧した電圧値を信号線８に給電する。
【００４０】
子機１では、この分圧された電圧を供給されて映像変調装置３、音声変換装置６が作動し、親機１０に対して一例として図３に（ｂ）として示すような映像信号を送出するとともに、図３に（ｃ）として示すような信号で親機１０との間で通話を行う。
【００４１】
応答操作した親機１０では、応答操作に応じて制御部１７が前記音声変換装置１４や映像復調装置１６を作動させ、子機１からの映像を表示部１５に表示するとともに、子機１との通話を可能にする。
【００４２】
このとき、複数個の親機１０毎に、抵抗１０２と抵抗１０４との抵抗比を異ならせて、電圧（Vcc）の分圧電圧値を異ならせ、各親機１０の制御部１７で電圧値の違いを判別可能にしておけば、応答操作を行っていない親機１０の音声変換装置１４や映像復調装置１６を作動させることがなく、無駄な電力消費を防止できる。このような親機間の制御の具体例については、特許文献１に示されている。
【００４３】
さらに、待受け時にセンサ３０が検知信号を送出すると、このセンサ３０が設けられている親機１０は、制御部１７が音声変換装置１４を制御してスピーカ１３から警報音を発生させる。
【００４４】
また、親機１０の制御部１７は給電制御・監視部１９のスイッチ１０６を予め設定されたパターンで制御する。例えば所定の間隔でオンオフする。したがって、スイッチ１０６のオン期間にはトランジスタ１０１はオンし、信号線８に電源部２０の電圧（Vcc）を抵抗１０２、１０５の抵抗比に応じて分圧した電圧が信号線８に給電される。この状態を図３に（ｄ）として示す。
【００４５】
他の親機１０においては、給電制御・監視部１９のトランジスタ１０１のエミッタと基準極（アース）との間に設けられた抵抗１０７および１０８の直列回路の中間電位が給電監視信号として検出されている。したがって、前記（ｄ）の電圧値が検出されると、制御部１７は音声変換装置１４を制御してスピーカ１３から警報音を発生する。
【００４６】
仮に、子機１と親機１０とで通話中にセンサ３０が検知信号を送出した場合であっても、抵抗１０５の抵抗値を他の抵抗１０２や１０４に比して十分小さく選定することにより、他の親機で識別可能な給電電圧とすることが可能であり、したがって、通話状態であっても警報音を発生させることが可能である。
【図面の簡単な説明】
【００４７】
【図１】本発明の一実施形態の構成を示すブロック図。
【図２】同じく要部の構成を示す回路図。
【図３】同じく作用を説明するための信号線に印加される電圧信号の一例を示す図。
【符号の説明】
【００４８】
１…子機、２…カメラ、３…映像変調装置、４、１２…マイク、５、１３…スピーカ、６、１４…音声変換装置、７、１１…通信インターフェイス、８…信号線、９…呼出し釦、１０…親機、１５…表示部、１６…映像復調装置、１７…制御部、１８…呼出し検知部、１９…給電制御・監視部、２０…電源部、３０…センサ
【図１】
2009159555.tif 000003
【図２】
2009159555.tif 000004
【図３】
2009159555.tif 000005